(57)【要約】【課題】ユーザーの好みに合ったスケジュール表を容易に作成可能な印刷データ生成装置、ラベル印刷装置、印刷データ生成方法およびそのプログラムを提供する。【解決手段】ラベル印刷装置１は、スケジュール表にマーキングするためのマークの登録を受け付ける登録受付部１１０と、スケジュール表の期間内における任意の日付および任意の時刻の少なくとも一方である日時を特定する日時情報と、登録されたマークの中のいずれかのマークと、の指定を受け付ける指定受付部１２０と、指定された日時情報に基づく任意の日時に、指定されたマークが付加されたスケジュール表を印刷するための印刷データを生成する印刷データ生成部１４０と、を備える。【選択図】図４
2018154007.tif 000002
【特許請求の範囲】
【請求項１】
スケジュール表にマーキングするためのマークの登録を受け付ける登録受付部と、
前記スケジュール表の期間内における任意の日付および任意の時刻の少なくとも一方である日時を特定する日時情報と、登録された前記マークの中のいずれかの前記マークと、の指定を受け付ける指定受付部と、
指定された前記日時情報に基づく任意の日時に、指定された前記マークが付加された前記スケジュール表を印刷するための印刷データを生成する印刷データ生成部と、を備えることを特徴とする印刷データ生成装置。
【請求項２】
前記登録受付部は、前記マークごとに、前記マークを説明するテキストの登録を受付可能であり、
複数の前記マークが登録されている場合、前記マークと前記テキストを対応付けた複数の選択肢を表示する表示制御部を備え、
前記指定受付部は、複数の前記選択肢の中からいずれかの選択肢が選択されることにより、当該選択肢に対応する前記マークの指定を受け付けることを特徴とする請求項１に記載の印刷データ生成装置。
【請求項３】
前記印刷データ生成部は、第１の印刷指示に基づいて、前記スケジュール表を印刷するための印刷データを生成し、第２の印刷指示に基づいて、登録された複数の前記マークと、複数の前記マークを説明する複数の前記テキストと、をそれぞれ対応付けたマーク一覧表を印刷するための印刷データを生成することを特徴とする請求項２に記載の印刷データ生成装置。
【請求項４】
前記印刷データ生成部は、登録された複数の前記マークの中から印刷対象となる１以上の前記マークを選択して印刷指示を行う第３の印刷指示に基づいて、選択された１以上の前記マークと、１以上の前記マークを説明する１以上の前記テキストと、をそれぞれ対応付けたマーク対応表を印刷するための印刷データを生成することを特徴とする請求項３に記載の印刷データ生成装置。
【請求項５】
前記指定受付部は、前記日時情報として、前記任意の日時の始点および終点をそれぞれ示す開始日時および終了日時の指定を受付可能であることを特徴とする請求項１ないし４のいずれか１項に記載の印刷データ生成装置。
【請求項６】
前記印刷データは、ラベル用媒体に印刷され、
前記指定受付部は、前記ラベル用媒体に前記スケジュール表が印刷されたラベルの貼付対象となる貼付対象物のサイズの指定を受付可能であり、
前記印刷データ生成部により生成された前記印刷データに基づくラベル長が、前記貼付対象物のサイズに応じて決定される最大印刷長を超える場合、その旨を通知する通知部を備えることを特徴とする請求項１ないし５のいずれか１項に記載の印刷データ生成装置。
【請求項７】
前記印刷データの印刷時に、当該印刷データが印刷される前記ラベル用媒体の情報と、前記印刷データと、を対応付け、記憶媒体に記憶させる記憶制御部を備えることを特徴とする請求項６に記載の印刷データ生成装置。
【請求項８】
前記印刷データ生成部は、前記印刷データが印刷される前記ラベル用媒体の幅に応じて、前記スケジュール表の表形式を変更することを特徴とする請求項６または７に記載の印刷データ生成装置。
【請求項９】
スケジュール表にマーキングするためのマークの登録を受け付ける登録受付部と、
前記スケジュール表の期間内における任意の日付および任意の時刻の少なくとも一方である日時を特定する日時情報と、登録された前記マークの中のいずれかの前記マークと、の指定を受け付ける指定受付部と、
指定された前記日時情報に基づく任意の日時に、指定された前記マークが付加された前記スケジュール表を印刷するための印刷データを生成する印刷データ生成部と、
前記印刷データを、ラベル用媒体に印刷する印刷部と、を備えることを特徴とするラベル印刷装置。
【請求項１０】
印刷データ生成装置が、
スケジュール表にマーキングするためのマークの登録を受け付けるステップと、
前記スケジュール表の期間内における任意の日付および任意の時刻の少なくとも一方である日時を特定する日時情報と、登録された前記マークの中のいずれかの前記マークと、の指定を受け付けるステップと、
指定された前記日時情報に基づく任意の日時に、指定された前記マークが付加された前記スケジュール表を印刷するための印刷データを生成するステップと、を実行することを特徴とする印刷データ生成方法。
【請求項１１】
印刷データ生成装置に、請求項１０に記載の印刷データ生成方法における各ステップを実行させるためのプログラム。
【発明の詳細な説明】
【技術分野】
【０００１】
本発明は、スケジュール表を印刷するための印刷データを生成する印刷データ生成装置、ラベル印刷装置、印刷データ生成方法およびそのプログラムに関する。
【背景技術】
【０００２】
従来、この種の技術として特許文献１が知られている。特許文献１には、日曜日や土曜日などの特定日に、印字色や文字飾りなどの修飾情報を付加したカレンダーをラベルに印字するラベル作成装置が開示されている。
【先行技術文献】
【特許文献】
【０００３】
【特許文献１】特開平９−１１８０４４号公報
【発明の概要】
【発明が解決しようとする課題】
【０００４】
ところで、近年、手作り手帳が注目されており、この手作り手帳の一部として、スケジュール表をラベルで作成したいという要望がある。ところが、従来の技術では、予め定められた選択肢の中から修飾情報を選ぶしか方法がない。このため、選択肢の数が多い場合は、所望の選択肢を探すのに時間がかかり、選択肢の数が少ない場合は、ユーザーの好みに合った修飾情報が選べないなど、使い勝手に問題があった。
【０００５】
本発明は、上記の問題点に鑑み、ユーザーの好みに合ったスケジュール表を容易に作成可能な印刷データ生成装置、ラベル印刷装置、印刷データ生成方法およびそのプログラムを提供することを目的とする。
【課題を解決するための手段】
【０００６】
本発明の印刷データ生成装置は、スケジュール表にマーキングするためのマークの登録を受け付ける登録受付部と、スケジュール表の期間内における任意の日付および任意の時刻の少なくとも一方である日時を特定する日時情報と、登録されたマークの中のいずれかのマークと、の指定を受け付ける指定受付部と、指定された日時情報に基づく任意の日時に、指定されたマークが付加されたスケジュール表を印刷するための印刷データを生成する印刷データ生成部と、を備えることを特徴とする。
【０００７】
本発明の印刷データ生成方法は、印刷データ生成装置が、スケジュール表にマーキングするためのマークの登録を受け付けるステップと、スケジュール表の期間内における任意の日付および任意の時刻の少なくとも一方である日時を特定する日時情報と、登録されたマークの中のいずれかのマークと、の指定を受け付けるステップと、指定された日時情報に基づく任意の日時に、指定されたマークが付加されたスケジュール表を印刷するための印刷データを生成するステップと、を実行することを特徴とする。
【０００８】
本発明のプログラムは、印刷データ生成装置に、上記の印刷データ生成方法における各ステップを実行させることを特徴とする。
【０００９】
本発明の構成によれば、ユーザーは、自分の好みのマークを登録することができる。また、これによりユーザーは、日時情報と、登録したマークの中のいずれかのマークと、を指定するだけの簡単な操作で、自分の好みに合ったスケジュール表を得ることができる。
【００１０】
上記の印刷データ生成装置において、登録受付部は、マークごとに、マークを説明するテキストの登録を受付可能であり、複数のマークが登録されている場合、マークとテキストを対応付けた複数の選択肢を表示する表示制御部を備え、指定受付部は、複数の選択肢の中からいずれかの選択肢が選択されることにより、当該選択肢に対応するマークの指定を受け付けることを特徴とする。
【００１１】
本発明の構成によれば、ユーザーは、マークの説明を確認した上で、所望のマークを選択することができる。
【００１２】
上記の印刷データ生成装置において、印刷データ生成部は、第１の印刷指示に基づいて、スケジュール表を印刷するための印刷データを生成し、第２の印刷指示に基づいて、登録された複数のマークと、複数のマークを説明する複数のテキストと、をそれぞれ対応付けたマーク一覧表を印刷するための印刷データを生成することを特徴とする。
【００１３】
本発明の構成によれば、ユーザーは、スケジュール表だけでなく、登録したマークとその説明とを対応付けたマーク一覧表を得ることができる。
【００１４】
上記の印刷データ生成装置において、印刷データ生成部は、登録された複数のマークの中から印刷対象となる１以上のマークを選択して印刷指示を行う第３の印刷指示に基づいて、選択された１以上のマークと、１以上のマークを説明する１以上のテキストと、をそれぞれ対応付けたマーク対応表を印刷するための印刷データを生成することを特徴とする。
【００１５】
本発明の構成によれば、ユーザーは、選択したマークとその説明とを対応付けたマーク対応表を得ることができる。
【００１６】
上記の印刷データ生成装置において、指定受付部は、日時情報として、任意の日時の始点および終点をそれぞれ示す開始日時および終了日時の指定を受付可能であることを特徴とする。
【００１７】
本発明の構成によれば、ユーザーは、連続した日付または時刻にマーキングしたい場合、迅速にマーキング対象となる日付または時刻を指定することができる。
【００１８】
上記の印刷データ生成装置において、印刷データは、ラベル用媒体に印刷され、指定受付部は、ラベル用媒体にスケジュール表が印刷されたラベルの貼付対象となる貼付対象物のサイズの指定を受付可能であり、印刷データ生成部により生成された印刷データに基づくラベル長が、貼付対象物のサイズに応じて決定される最大印刷長を超える場合、その旨を通知する通知部を備えることを特徴とする。
【００１９】
本発明の構成によれば、ユーザーは、貼付対象物のサイズを指定しておくことで、誤って貼付対象物のサイズを超えたラベル長のラベルを作成してしまうことを防止できる。
【００２０】
上記の印刷データ生成装置において、印刷データの印刷時に、当該印刷データが印刷されるラベル用媒体の情報と、印刷データと、を対応付け、記憶媒体に記憶させる記憶制御部を備えることを特徴とする。
【００２１】
本発明の構成によれば、ラベル用媒体の情報と印刷データと、を対応付けた情報を、ラベル印刷履歴として残すことができる。
【００２２】
上記の印刷データ生成装置において、印刷データ生成部は、印刷データが印刷されるラベル用媒体の幅に応じて、スケジュール表の表形式を変更することを特徴とする。
【００２３】
本発明の構成によれば、ユーザーは、特段の操作を行うことなく、ラベル用媒体の幅に応じた見栄えのよい表形式のスケジュール表を得ることができる。
【００２４】
本発明のラベル印刷装置は、スケジュール表にマーキングするための１以上のマークの登録を受け付ける登録受付部と、スケジュール表の期間内における任意の日付および任意の時刻の少なくとも一方である日時を特定する日時情報と、登録されたマークの中のいずれかのマークと、の指定を受け付ける指定受付部と、指定された日時情報に基づく任意の日時に、指定されたマークが付加されたスケジュール表を印刷するための印刷データを生成する印刷データ生成部と、印刷データを、ラベル用媒体に印刷する印刷部と、を備えることを特徴とする。
【００２５】
本発明の構成によれば、ユーザーは、日時情報と、登録したマークの中のいずれかのマークと、を指定するだけの簡単な操作で、自分の好みに合ったスケジュール表が印刷されたラベルを得ることができる。
【図面の簡単な説明】
【００２６】
【図１】本発明の一実施形態に係るラベル印刷装置の外観斜視図である。
【図２】ラベル印刷装置のハードウェア構成を示すブロック図である。
【図３】キーテーブルの一例を示す図である。
【図４】ラベル印刷装置の機能構成を示すブロック図である。
【図５】スケジュール表ラベルの印刷例を示す図である。
【図６】キー一覧表ラベルの印刷例を示す図である。
【図７】キー対応表ラベルの印刷例を示す図である。
【図８】キー登録処理の流れを示す画面遷移図である。
【図９】図８に続く、画面遷移図である。
【図１０】スケジュール表作成処理の流れを示す画面遷移図である。
【図１１】変形例１に係るスケジュール表ラベルの印刷例を示す図である。
【図１２】変形例１に係るスケジュール表ラベルの印刷例を示す図である。
【図１３】変形例２に係るスケジュール表ラベルの印刷例を示す図である。
【図１４】変形例３に係るスケジュール表ラベルの印刷例を示す図である。
【図１５】変形例４に係るキー一覧表ラベルの印刷例を示す図である。
【発明を実施するための形態】
【００２７】
以下、添付の図面を参照して、本発明の印刷データ生成装置、ラベル印刷装置、印刷データ生成方法およびそのプログラムについて説明する。本実施形態では、「印刷データ生成装置」として、ラベル印刷装置１を採用した場合を例示する。
【００２８】
図１は、本発明の一実施形態に係るラベル印刷装置１の外観斜視図である。ラベル印刷装置１は、装置ケース２により外郭が形成され、装置ケース２上には、各種入力キー・ボタンを備えたキーボード３と、表示画面４１が配設される。また、ラベル印刷装置１には、開閉蓋２１が取り付けられ、その内側にはテープカートリッジＣを装着するためのカートリッジ装着部６が窪入形成されている。
【００２９】
また、装置ケース２の側面には、テープ排出口２２が形成され、このテープ排出口２２には、印刷テープＴを切断するためのテープカッター２３が臨んでいる。そして、テープ排出口２２から印刷済みの印刷テープＴが送り出され、送りを一旦停止させた状態でテープカッター２３により切断されて、短冊状のラベルＬが作成される。なお、印刷テープＴは、「ラベル用媒体」の一例である。また、本実施形態では、ラベルＬとして、スケジュール表ラベルＬ１（図５参照）、キー一覧表ラベルＬ２（図６参照）、キー対応表ラベルＬ３（図７参照）を作成する。
【００３０】
一方、カートリッジ装着部６は、ヘッドカバー６１ａ内に、サーマルタイプの印刷ヘッド７が内蔵されたヘッドユニット６１と、印刷ヘッド７に対峙するプラテン駆動軸６２と、後述のインクリボンＲを巻き取る巻き取り駆動軸６３と、後述のテープリール１７の位置決め突起６４と、を備えている。
【００３１】
次に、テープカートリッジＣの構成について説明する。テープカートリッジＣは、カートリッジケース５１内部に、印刷テープＴを巻回したテープリール１７と、インクリボンＲを巻回したリボンリール１９とを収容して構成されている。また、カートリッジケース５１には、上記ヘッドユニット６１を覆うヘッドカバー６１ａが差し込まれるための貫通孔５５が形成されている。また、リボンリール１９に近接してリボン巻き取りリール５４が配置され、リボンリール１９から繰り出されたインクリボンＲは、貫通孔５５を周回するように、リボン巻き取りリール５４に巻き取られる。
【００３２】
一方、印刷テープＴは、裏面に粘着剤層が形成された記録テープと、粘着剤層に覆設された剥離テープとから成り、記録テープを外側にしてロール状に巻回されている。また、印刷テープＴは、テープ種類が異なる複数種のものが用意されており、各カートリッジケース５１には、このうち１種類の印刷テープＴが収容されている。
【００３３】
次に、図２を参照し、ラベル印刷装置１のハードウェア構成について説明する。ラベル印刷装置１は、ハードウェア構成として、キーボード３、表示画面４１、テープ識別センサー２７、ＲＯＭ（Read  Only  Memory）７０、ＲＡＭ（Random  Access  Memory）７１、フラッシュメモリー７２、印刷機構７３およびＣＰＵ７４を備える。
【００３４】
キーボード３は、情報入力や各種設定を行うために用いられる。また、キーボード３には、スケジュール表を作成するための「スケジュール」ボタンや、スケジュール表にマーキングするキーの登録等を行うための「キー」ボタン（いずれも図示省略）が搭載されている。キー（Ｋｅｙ）とは、スケジュール表に予定や記念日などを明示するためにユーザーが自由に設定するものであり、記号や網掛け等のマークにより表される。表示画面４１は、図８ないし図１０に示す画面など各種情報を表示する。
【００３５】
テープ識別センサー２７は、印刷テープＴのテープ種類を検出する。テープ種類は、テープ幅、テープ色、テープ材質、およびインクリボンＲのインク色（印刷色）などにより区別される。テープ種類の検出方法としては、テープカートリッジＣに貼付または印刷された画像（バーコードや２次元コードなど）やＲＦＩＤ（Radio  Frequency  Identification）を読み取る方法、テープカートリッジＣに形成された１以上の孔の有無を検出する方法、などが考えられる。ＣＰＵ７４は、テープ識別センサー２７により検出されたテープ種類が印刷に不適切と判定した場合、その旨を表示画面４１上に表示する。例えば、スケジュール表ラベルＬ１を作成する際は、予め設定された最低テープ幅（例えば、１８ｍｍ）より狭いテープ幅を検出した場合、テープカートリッジＣの交換を促す表示を行う。また、キー一覧表ラベルＬ２またはキー対応表ラベルＬ３を作成する際は、予め設定された最低テープ幅（例えば、１２ｍｍ）より狭いテープ幅を検出した場合、テープカートリッジＣの交換を促す表示を行う。
【００３６】
ＲＯＭ７０は、不揮発性の記憶領域であり、ラベル印刷装置１のファームウェアや各種設定情報を記憶する。ＲＡＭ７１は、揮発性の記憶領域であり、ＣＰＵ７４のワークエリアとして用いられる。フラッシュメモリー７２は、書き換え可能且つ不揮発性の記憶領域であり、キーに関する情報が登録されたキーテーブル８０を記憶する。図３に示すように、キーテーブル８０は、登録されたキー（キーを表すマーク）と、その説明（説明をテキストで表したもの）と、を対応付けたものである。同図では、４つのキーが登録されている場合を例示している。なお、説明は、必ずしも登録される必要はなく、キーのみの登録でもよい。
【００３７】
印刷機構７３は、印刷ヘッド７、テープ送りモーター２６、カッターモーター２５およびテープカッター２３を含む。印刷ヘッド７は、テープリール１７から繰り出された印刷テープＴの記録テープに印刷を行う。テープ送りモーター２６は、テープリール１７から繰り出された印刷テープＴをテープ排出口２２（図２参照）に向けて搬送する駆動源である。カッターモーター２５は、テープカッター２３を駆動し、印刷テープＴを切断する駆動源である。
【００３８】
ＣＰＵ７４は、上記の各構成と連携し、キーを登録するキー登録処理、スケジュール表を作成するスケジュール表作成処理、またこれらの処理に伴うラベル印刷制御などを行う。詳細については、後述する。
【００３９】
次に、図４を参照し、ラベル印刷装置１の機能構成について説明する。ラベル印刷装置１は、機能構成として、登録受付部１１０、指定受付部１２０、表示制御部１３０、印刷データ生成部１４０および印刷部１５０を備える。
【００４０】
登録受付部１１０は、スケジュール表にマーキングするためのキーと、キーを説明するテキストと、の登録を受け付ける。登録されたキーおよびテキストは、フラッシュメモリー７２内のキーテーブル８０に記憶される。
【００４１】
指定受付部１２０は、スケジュール表を作成する場合、スケジュール表の期間内における任意の日付および任意の時刻の少なくとも一方である日時を特定する日時情報と、登録されたキーの中のいずれかのキーと、の指定を受け付ける。日時情報とは、キーを付加する日付および時刻の少なくとも一方を特定するための情報である。また、指定受付部１２０は、日時情報として、任意の日時の始点および終点をそれぞれ示す開始日時および終了日時の指定を受け付けることも可能である。
【００４２】
表示制御部１３０は、日時情報を指定するための画面（図１０のＳ２６，Ｓ２８，Ｓ２９参照）や、キーを指定するための画面（キー選択画面，図１０のＳ２５，Ｓ２７参照）などを表示画面４１に表示する。キーを指定するための画面では、例えば、キーテーブル８０に複数のキーが登録されている場合、キーとテキストを対応付けた複数の選択肢を表示する。この場合、指定受付部１２０は、表示した複数の選択肢の中からユーザーによりいずれかの選択肢が選択されることにより、当該選択肢に対応するキーの指定を受け付ける。
【００４３】
印刷データ生成部１４０は、第１の印刷指示（図１０のＳ３０における選択肢「印刷開始」の選択）に基づいて、指定された日時情報に基づく任意の日時に、指定されたキーが付加されたスケジュール表を印刷するための印刷データを生成する。つまり、図５に示すスケジュール表ラベルＬ１を作成するための印刷データを生成する。
【００４４】
また、印刷データ生成部１４０は、第２の印刷指示（図９のＳ１２における選択肢「印刷開始」の選択）に基づいて、登録された複数のキーと、これら複数のキーを説明する複数のテキストと、をそれぞれ対応付けたキー一覧表を印刷するための印刷データを生成する。つまり、図６に示すキー一覧表ラベルＬ２を作成するための印刷データを生成する。なお、キー一覧表は「マーク一覧表」の一例である。
【００４５】
また、印刷データ生成部１４０は、登録された複数のキーの中から印刷対象となる１以上のキーを選択して印刷指示を行う第３の印刷指示（図９のＳ１０における選択肢「すべて選択」以外の選択肢の選択、およびＳ１１における選択肢「印刷開始」の選択）に基づいて、選択された１以上のキーと、これら１以上のキーを説明する１以上のテキストと、をそれぞれ対応付けたキー対応表を印刷するための印刷データを生成する。つまり、図７に示すキー対応表ラベルＬ３を作成するための印刷データを生成する。なお、キー対応表は「マーク対応表」の一例である。
【００４６】
印刷部１５０は、印刷データ生成部１４０により印刷された印刷データを、印刷テープＴに印刷する。これにより、各種ラベルＬが作成される。
【００４７】
次に、図８および図９の画面遷移図を参照し、ラベル印刷装置１（ＣＰＵ７４）によるキー登録処理（「印刷データ生成方法」の一部）について説明する。ここでは、図６に示すキー一覧表ラベルＬ２および図７に示すキー対応表ラベルＬ３を印刷するための手順（ステップ）を説明する。なお、各ステップでは、表示画面４１の表示内容を模式的に示す。
【００４８】
ラベル印刷装置１は、ユーザーによりキーボード３上の「キー」ボタンが押下されると、キー機能選択画面を表示する（Ｓ０１）。キー機能選択画面では、選択肢として「登録」、「編集」および「削除」を表示する。選択肢「登録」が選択されると、キーの新規登録（キーテーブル８０への追加）が可能となる。また、選択肢「編集」が選択されると、キーテーブル８０に登録されているキーの編集（対応するテキストの変更など）が可能となる。また、選択肢「削除」が選択されると、キーテーブル８０に登録されているキーの削除が可能となる。
【００４９】
ラベル印刷装置１は、キー機能選択画面において選択肢「登録」が選択されると、マーク種別選択画面を表示する（Ｓ０２）。マーク種別選択画面では、選択肢として「網掛け」および「記号」を表示する。マーク種別選択画面において選択肢「網掛け」が選択されると、網掛け選択画面を表示する（Ｓ０３）。網掛け選択画面では、選択肢として、複数種類のキー（網掛け）を表示する。ここで表示される「キー」は、予め設定されている選択肢である。網掛け選択画面でいずれかの選択肢が選択されると、内容入力画面を表示する（Ｓ０４）。
【００５０】
内容入力画面では、ユーザーにより任意のテキストが入力される。Ｓ０４では、テキスト「仕事」が入力された例を示す。また、符号Ｋは、テキストの入力位置を表すカーソルを示す。内容入力画面において、テキストが入力され確定操作が行われると（キーボード３上の「確定」ボタン等が押下されると）、登録確認画面を表示する（Ｓ０５）。登録確認画面では、Ｓ０３で選択されたキー（網掛け）とＳ０４で入力されたテキストを表示し、選択肢として「はい」および「いいえ」を表示する。ここで、選択肢「いいえ」が選択されると、Ｓ０２に戻る。また、選択肢「はい」が選択されると、Ｓ０５の内容をキーテーブル８０に登録し、キー機能選択画面に遷移する（Ｓ０６）。ここでは、選択肢として「登録」、「編集」、「削除」の他、「印刷」を表示する。
【００５１】
一方、ラベル印刷装置１は、マーク種別選択画面（Ｓ０２）において選択肢「記号」が選択されると、記号選択画面を表示する（Ｓ０７）。記号選択画面では、キー（記号）と、その説明（テキスト）と、を対応付けた複数の選択肢を表示する。ここで表示される「キー」および「説明」は、予め設定されている選択肢である。但し、「説明」は、後述する内容入力画面にて編集可能であり、ここではサンプルテキストとして表示する。記号選択画面でいずれかの選択肢が選択されると、内容入力画面を表示する（Ｓ０８）。
【００５２】
内容入力画面では、Ｓ０７の選択肢に表示されていたテキスト（同図の例では「外出」）の編集が可能となっている。内容入力画面においてテキストが編集された後（または未編集の状態で）確定操作が行われると、登録確認画面を表示する（Ｓ０９）。登録確認画面では、Ｓ０７で選択されたキー（記号）とＳ０８で編集されたテキストを表示し、選択肢として「はい」および「いいえ」を表示する。ここで、選択肢「いいえ」が選択されると、Ｓ０２に戻る。また、選択肢「はい」が選択されると、Ｓ０９の内容をキーテーブル８０に登録し、キー機能選択画面に遷移する（Ｓ０６）。
【００５３】
ラベル印刷装置１は、キー機能選択画面において選択肢「印刷」が選択されると、図９に示すように、印刷選択画面を表示する（Ｓ１０）。印刷選択画面では、選択肢「すべて選択」の他、キーテーブル８０に登録されているすべてのキーについて、キーと説明（テキスト）とを対応付けた選択肢と、選択肢「印刷開始」と、を表示する。ここで、キーテーブル８０に登録されているキーに対応する選択肢の中から１以上の選択肢が選択され（ここでは、選択肢「仕事」および選択肢「外出」が選択されている）、さらに選択肢「印刷開始」が選択されると（Ｓ１１）、印刷処理を実行する。なお、Ｓ１０およびＳ１１において、選択肢に付されるチェックマークは、その選択肢が選択状態であることを示す。
【００５４】
Ｓ１１の操作に基づいて作成されるキー対応表ラベルＬ３は、図７に示すとおりである。キー対応表ラベルＬ３は、Ｓ１０およびＳ１１の画面で選択状態にある各キーの情報を、ラベル長方向に並べて印刷したものである。各キーの情報は、キーと、その説明（テキスト）と、の間にコロン「：」を介して表記される。
【００５５】
一方、ラベル印刷装置１は、印刷選択画面において選択肢「すべて選択」が選択された状態で選択肢「印刷開始」が選択されると（Ｓ１２）、印刷処理を実行する。この操作に基づいて作成されるキー一覧表ラベルＬ２は、図６に示すとおりである。キー一覧表ラベルＬ２は、キーテーブル８０に登録されているすべてのキーの情報を、ラベル長方向に並べて印刷したものである。各キーの情報は、キーと、その説明（テキスト）と、の間にコロン「：」を介して表記される。
【００５６】
次に、図１０の画面遷移図を参照し、ラベル印刷装置１（ＣＰＵ７４）によるスケジュール表作成処理（「印刷データ生成方法」の一部）について説明する。ここでは、図５に示すスケジュール表ラベルＬ１を印刷するための手順（ステップ）を説明する。
【００５７】
ラベル印刷装置１は、ユーザーによりキーボード３上の「スケジュール」ボタンが押下されると、スケジュール選択画面を表示する（Ｓ２１）。スケジュール選択画面では、選択肢として「月（Mon）」、「週（Week）」および「日（Day）」を表示する。選択肢「月」が選択されると、１日から３１日までの間で指定された期間のスケジュール表ラベルＬ１を作成する。また、選択肢「週」が選択されると、１日から３１日までの間で指定された期間（但し、最長１週間分）のスケジュール表ラベルＬ１を作成する。また、選択肢「日」が選択されると、０時から２３時（または１時から２４時）までの間で指定された期間のスケジュール表ラベルＬ１を作成する。
【００５８】
ラベル印刷装置１は、スケジュール選択画面において選択肢「月」が選択されると、最終日指定画面を表示する（Ｓ２２）。最終日指定画面は、スケジュール表の最終日を指定する画面であり、１日から３１日に対応する選択肢を表示する。ここで、いずれかの選択肢が選択されると、曜日指定画面を表示する（Ｓ２３）。なお、最終日指定画面だけではなく、開始日指定画面を表示し、スケジュール表の開始日を指定可能としてもよい。
【００５９】
曜日指定画面は、スケジュール表の開始日を何曜日にするかを指定する画面であり、選択肢「曜日なし」の他、月曜日から日曜日の各曜日に対応する選択肢を表示する。ここで、選択肢「曜日なし」が選択されると、曜日の表記がないスケジュール表ラベルＬ１を作成する（例えば、図１１参照）。また、選択肢「曜日なし」以外の選択肢が表示されると、日付と曜日とを対応付けて表記したスケジュール表ラベルＬ１を作成する（図５参照）。曜日指定画面において、いずれかの選択肢が選択されると、フレーム選択画面を表示する（Ｓ２４）。フレーム選択画面では、複数種類のフレームイメージに対応する選択肢と、選択肢「フレームなし」と、を表示する。
【００６０】
ラベル印刷装置１は、フレーム選択画面において、いずれかの選択肢が選択されると、キー選択画面を表示する（Ｓ２５）。キー選択画面では、キーテーブル８０に登録されているすべてのキーについて、キーとその説明を対応付けた選択肢と、選択肢「印刷開始」と、を表示する。なお、キーテーブル８０にキーが登録されていない場合、予め設定された複数のキーまたは印刷実績のあるキーをキー選択画面に表示してもよい。この時点で、キー選択画面の選択肢「印刷開始」が選択されると、キーが付加されていないスケジュール表ラベルＬ１を作成する（例えば、図１１参照）。
【００６１】
一方、ラベル印刷装置１は、キー選択画面において、キーに対応する選択肢の中からいずれかの選択肢が選択され、そのキーのマーク種別が「記号」である場合（図８のＳ０７の記号選択画面の選択肢として表示されるものである場合）、日付指定画面を表示する（Ｓ２６）。日付指定画面は、キーを付加する日付を指定する画面であり、スケジュール表の期間内における任意の日付を指定可能となっている。図１０の例では、スケジュール表の期間が１日から２８日であるため、日付指定画面では、その期間内の各日付に対応する選択肢を表示する。
【００６２】
ラベル印刷装置１は、日付指定画面において、いずれかの選択肢が選択されると、キー選択画面に遷移する（Ｓ２７）。キー選択画面において、キーに対応する選択肢の中からいずれかの選択肢が選択され、そのキーのマーク種別が「網掛け」である場合（図８のＳ０３の網掛け選択画面の選択肢として表示されるものである場合）、開始日指定画面を表示する（Ｓ２８）。網掛け用のキーが選択された場合は、スケジュール表に連続してキーを付加することが可能であるため、開始日指定画面において、キーを付加する開始日が指定される。開始日指定画面では、スケジュール表の期間（図１０の例では、１日から２８日）内の各日付に対応する選択肢を表示する。
【００６３】
ラベル印刷装置１は、開始日指定画面において、いずれかの選択肢が選択されると、終了日選択画面を表示する（Ｓ２９）。終了日指定画面は、キーを付加する終了日が指定される画面であり、開始日指定画面で指定された開始日から、スケジュール表の期間の最終日までの各日付に対応する選択肢を表示する。なお、開始日および終了日は、それぞれ「開始日時」および「終了日時」の一例である。最終日指定画面において、いずれかの日付が選択されると、キー選択画面に遷移する（Ｓ３０）。キー選択画面において、選択肢「印刷開始」が選択されると、印刷処理を実行する。この操作に基づいて作成されるスケジュール表ラベルＬ１は、図５に示すとおりである。
【００６４】
スケジュール表ラベルＬ１は、指定された期間（１日から２８日）内の日付を、ラベル長方向に並べて印刷したものである。また、図１０の例では、最初の曜日が指定されているため（Ｓ２３参照）、その曜日から始まる各曜日のアルファベット（図５の例では、英語表記の頭文字）が、各日付のラベル長方向の位置に合わせて印刷される。また、図１０の例では、誕生日を表すキーの付加が１１日に指定されているため（Ｓ２５，Ｓ２６参照）、１１日の日付に重ねて、誕生日を表すキーが印刷される（図５の符号８２参照）。さらに、図１０の例では、仕事を表すキーの付加が、２日から７日に指定されているため（Ｓ２７ないしＳ２９参照）、２日から７日まで連続して、仕事を表すキーが印刷される（図５の符号８３参照）。図５に示すように、網掛け用のキーは、連続した日付に付加される場合、日付ごとに、同じキーを複数個並べて表記するのではなく、連続したマークとして表記される。これにより、継続した予定であることを明確に示すことができる。また、図１０の例では、フレームが指定されているため（Ｓ２４参照）、指定されたフレームが印刷される（符号８４参照）。なお、各キーは、日付に重ねるのではなく、日付の近傍に付加してもよい。
【００６５】
以上説明したとおり、本実施形態に係るラベル印刷装置１によれば、ユーザーは、キー登録処理により自分の好みのキーを登録することができるため、日付と、登録済みのキーの中のいずれかのキーと、を指定するだけの簡単な操作で、自分の好みに合ったスケジュール表ラベルＬ１を作成することができる。
【００６６】
また、ラベル印刷装置１は、キーを登録する際、各キーに対応づけて、各キーを説明するテキストを登録し、キーを選択するキー選択画面（図１０のＳ２５等参照）では、キーとテキストを対応づけた選択肢の中からいずれかの選択肢を選択する構成であるため、ユーザーは、キーの説明を確認した上で、所望のキーを選択することができる。これにより、キーの意味を忘れてしまった場合でも、適切なキーを選択することができる。
【００６７】
また、ラベル印刷装置１は、キー一覧表ラベルＬ２を作成可能であるため、これを手帳のインデックス等に貼付して、キーの内容を確認するために用いることができる。また、ラベル印刷装置１は、キー対応表ラベルＬ３を作成可能であるため、例えばスケジュール表ラベルＬ１で使用されたキーだけを選択してキー対応表ラベルＬ３を作成し、スケジュール表ラベルＬ１と並べて手帳に貼付する、などの利用が可能となる。
【００６８】
なお、上記の実施形態に限らず、以下の変形例を採用可能である。
［変形例１］
図１１および図１２は、変形例１に係るスケジュール表ラベルＬ１１，Ｌ１２の印刷例を示す図である。図１１は、スケジュール選択画面（図１０のＳ２１参照）で選択肢「月（Mon）」が選択され、最終日指定画面（Ｓ２２参照）で「３１」が指定され、曜日指定画面（Ｓ２３参照）で選択肢「曜日なし」が選択され、フレーム選択画面（Ｓ２４参照）で、上記の実施形態と同じフレームが選択された場合に印刷されるスケジュール表ラベルＬ１１を示している。また、図１２は、スケジュール選択画面で選択肢「日（Day）」が選択され、最終日指定画面（Ｓ２２参照）に代えて表示される最終時刻指定画面（図示省略）で「２３」が指定され、フレーム選択画面（Ｓ２４参照）で、上記の実施形態と同じフレームが選択された場合に印刷されるスケジュール表ラベルＬ１２を示している。なお、スケジュール選択画面で選択肢「日（Day）」が選択された場合、曜日指定画面（Ｓ２３参照）の表示は省略される。
本変形例ではスケジュール表ラベルＬ１の先端に、スケジュール選択画面で選択された選択肢に対応したテキストを自動付加することを特徴とする。このため、図１１の例では「Monthly」、図１２の例では「Daily」が付加されている。このように、スケジュール表作成処理におけるユーザーの操作結果に応じて、テキストや画像（イラスト）を自動付加してもよい。
また、図１１および図１２では、上記の実施形態のスケジュール表ラベルＬ１（図５参照）よりもテープ幅が狭い印刷テープＴに印刷した場合を例示している。このように、曜日指定画面（Ｓ２３参照）で選択肢「曜日なし」が選択された場合は、必要となるテープ幅が狭くてよいため、曜日を付加する場合より狭い最低テープ幅を設定してもよい。例えば、曜日を付加する場合は、１８ｍｍより狭いテープ幅を検出した場合にエラー表示を行い、曜日を付加しない場合は、１２ｍｍより狭いテープ幅を検出した場合にエラー表示を行う、などが考えられる。
【００６９】
［変形例２］
図１３は、変形例２に係るスケジュール表ラベルＬ１３の印刷例を示す図である。同図は、上記の実施形態と同じ設定であるが、スケジュール表を縦書きに配置した点で異なる。これを実現するため、スケジュール表作成処理において、縦書きおよび横書きのいずれかを選択可能とすることが好ましい。また、本変形例では、何月のスケジュール表であるかを示すテキスト（同図の例では、１月を示す「JAN」）を、スケジュール表ラベルＬ１の先端に自動付加することを特徴とする。これを実現するため、スケジュール表作成処理において、１月ないし１２月の中からいずれかの選択肢を選択可能とすることが好ましい。
【００７０】
［変形例３］
図１４は、変形例３に係るスケジュール表ラベルＬ１４の印刷例を示す図である。同図は、上記の実施形態と同じ設定であるが、スケジュール表の日付を１行で表すのではなく、カレンダー形式とした点で異なる。これを実現するため、印刷データ生成部１４０により、印刷データが印刷される印刷テープＴのテープ幅に応じて、スケジュール表の表形式を変更することが好ましい。例えば、テープ幅閾値（例えば、４８mm）を設け、テープ幅閾値以上のテープ幅を検出した場合は、カレンダー形式とし、テープ幅閾値未満のテープ幅を検出した場合は、１行形式とする、などが考えられる。この構成によれば、ユーザーは、特段の操作を行うことなく、印刷テープＴの幅に応じた見栄えのよい表形式のスケジュール表ラベルＬ１を作成することができる。なお、表形式は、カレンダー形式や１行形式に限らず、曜日を表す１週間分のアルファベットに対応付けて２週間分の日付を並べる２行形式など、他の形式を採用可能である。また、テープ幅閾値を複数段階設け、３種類以上の表形式の中からテープ幅に応じた表形式を決定する構成でもよい。
【００７１】
［変形例４］
図１５は、変形例４に係るキー一覧表ラベルＬ２１の印刷例を示す図である。同図は、図３に示すキーテーブル８０に基づいて印刷されるキー一覧表ラベルＬ２１の変形例を示す。同図に示すように、上記の実施形態のキー一覧表ラベルＬ２（図６参照）とは、コロン「：」およびテキストの表記を省略した点で異なる。これを実現するため、キー登録処理において、テキストの印刷の有無を選択可能とすることが好ましい。また、特に図示しないが、キー対応表ラベルＬ３（図７参照）を印刷する際にも、テキストの印刷の有無を選択可能とすることが好ましい。
【００７２】
［変形例５］
指定受付部１２０（図４参照）により、ラベルＬの貼付対象となる貼付対象物のサイズの指定を受付可能としてもよい。貼付対象物とは、例えば手帳であり、貼付対象物のサイズは、「Ａ５」、「Ｂ５」などのＡＢ規格名や横方向と縦方向の長さ（「横１４８mm、縦２１０mm」など）により指定可能である。また、この場合、印刷データ生成部１４０により生成された印刷データに基づくラベル長が、指定された貼付対象物のサイズに応じて決定される最大印刷長を超える場合、その旨を通知する通知部（図示省略）を備えてもよい。例えば、貼付対象物のサイズとして「Ａ５（１４８mm×２１０mm）」が指定された場合、最大印刷長を１４８mmとして決定し、ラベル長が１４８mmを超える場合、エラー表示を行うことが考えられる。この場合、例えばフレームを削除したり、付加情報（上記の「Monthly」、「Daily」、「JAN」など）を削除したり、文字サイズを小さくしたりなどの編集操作を可能とすることが好ましい。若しくは、ラベル長が最大印刷長に収まるように、ラベル印刷装置１が、文字サイズを小さくしたり文字間隔を狭くしたりなどの自動編集を行う構成としてもよい。なお、ラベル長が最大印刷長を超えるか否かの判定は、ラベル編集中に行ってもよいし、印刷開始指示があったときに行ってもよい。この構成によれば、ユーザーは、貼付対象物のサイズを指定しておくことで、貼付対象物のサイズを超えたラベル長のラベルＬを作成してしまうミスを防止できる。
また、さらなる変形例として、指定された貼付対象物のサイズに応じて決定される最大印刷長を表示してもよい。また、この場合、印刷開始指示前に、それまでの入力情報に基づいて印刷されるラベルＬのラベル長を算出し、表示することが好ましい。この構成によれば、ユーザーは、表示された最大印刷長を超えないように注意しながらラベル編集を行うことができる。
【００７３】
［変形例６］
印刷データの印刷時に、当該印刷データが印刷される印刷テープＴの情報（上述したテープ種類に係る情報）と、印刷データと、を対応付け、記憶媒体に記憶させる記憶制御部（図示省略）を備えてもよい。記憶媒体としては、フラッシュメモリー７２を用いてもよい。また、外部記憶媒体を装着可能な構成とし、外部記憶媒体に記憶させてもよい。この構成によれば、ラベル用媒体の情報と印刷データと、を対応付けた情報を、ラベル印刷履歴として残すことができる。
なお、ラベル印刷履歴の利用方法としては、例えばテープ識別センサー２７により過去に使用された印刷テープＴと同じ印刷テープＴを検出した場合、その印刷テープＴの情報と対応付けられている印刷データを表示画面４１に表示する、過去に生成された印刷データと同じ（または近似する）印刷データが生成された場合、印刷開始指示時などに、その印刷データと対応付けられている印刷テープＴの情報を表示する、などが考えられる。
【００７４】
［変形例７］
スケジュール表作成処理では、スケジュール選択画面（図１０のＳ２１参照）において選択肢「月」が選択された場合を説明したが、選択肢「週」が選択された場合、次の画面でスケジュール表の開始日を指定する構成でもよい。若しくは、選択肢「月」が選択された場合と同様に、１日を開始日とし、次の画面では最終日を指定する構成でもよい。
また、スケジュール選択画面において選択肢「日」が選択された場合、０時（または１時）を開始時刻とし、次の画面では、最終時刻を指定する構成でもよい。若しくは、選択肢「日」が選択された場合、次の画面で開始時刻を指定し、さらに次の画面で最終時刻を指定する構成でもよい。
【００７５】
［変形例８］
キー一覧表ラベルＬ２またはキー対応表ラベルＬ３の印刷開始指示前に、キーやテキストを編集可能としてもよい。この場合、キー一覧表ラベルＬ２またはキー対応表ラベルＬ３の印刷データに対応する編集データを、テキスト編集画面（図示省略）に呼び出し、テキスト編集画面上で、キーやテキストを編集可能とすることが好ましい。編集内容としては、キーやテキストのサイズ変更、マーク装飾（強調処理、色変更等）、文字装飾などが考えられる。
また、さらなる変形例として、網掛け選択画面（図８のＳ０３参照）や記号選択画面（Ｓ０７参照）において選択可能なキーを、ユーザーがオリジナルに作成可能としてもよい。
【００７６】
［変形例９］
ラベル印刷装置１に、カレンダー機能を搭載してもよい（暦情報を記憶する構成でもよい）。この場合、スケジュール表の期間を、西暦または元号と月で指定してもよい。例えば、「２０１７年３月」が指定された場合、スケジュール表の期間は、１日から３１日となる。この場合、曜日指定画面（図１０のＳ２３）の表示を省略できる。また、この場合、西暦名または元号名と月名を、スケジュール表ラベルＬ１に印刷することが好ましい。
【００７７】
［変形例１０］
スケジュール表ラベルＬ１の印刷に伴い、キー対応表ラベルＬ３を作成してもよい。この場合、ラベル印刷装置１が、スケジュール表ラベルＬ１で使用されたキーだけを自動選択してキー対応表ラベルＬ３を作成すればよい。
【００７８】
［変形例１１］
図８における内容入力画面（Ｓ０４およびＳ０８）では、ユーザーにより任意のテキストが入力されるとしたが、網掛けまたは記号に関連する説明テキストを複数表示し、ユーザーがそれらの中から一つ選択できるようにしてもよい。例えば、記号「￥」に対し、ユーザーが選択可能な説明テキストとして、「給料日」、「振込」、「払出」等を表示してもよい。
【００７９】
［変形例１２］
上記の実施形態および変形例に示したラベル印刷装置１のハードウェア構成を用いて、図４に示した各機能部を実現するプログラムを提供してもよい。また、そのプログラムを各種記録媒体（ＣＤ−ＲＯＭ、フラッシュメモリーカード等）に格納して提供してもよい。すなわちコンピューターを、ラベル印刷装置１の各機能部として機能させるためのプログラム、およびそれを記録した記録媒体も、本発明の権利範囲に含まれる。また、ラベル印刷装置１の各機能部の少なくとも一部をクラウドコンピューティングで実現してもよい。また、パーソナルコンピューターや、タッチセンサー付きディスプレーを備えたタブレット端末などの各種情報処理装置を、「印刷データ生成装置」として用いてもよい。その他、本発明の要旨を逸脱しない範囲で、適宜変更が可能である。
【符号の説明】
【００８０】
１…ラベル印刷装置（印刷データ生成装置）、１１０…登録受付部、１２０…指定受付部、１３０…表示制御部、１４０…印刷データ生成部、１５０…印刷部
【図１】
2018154007.tif 000003
【図２】
2018154007.tif 000004
【図３】
2018154007.tif 000005
【図４】
2018154007.tif 000006
【図５】
2018154007.tif 000007
【図６】
2018154007.tif 000008
【図７】
2018154007.tif 000009
【図８】
2018154007.tif 000010
【図９】
2018154007.tif 000011
【図１０】
2018154007.tif 000012
【図１１】
2018154007.tif 000013
【図１２】
2018154007.tif 000014
【図１３】
2018154007.tif 000015
【図１４】
2018154007.tif 000016
【図１５】
2018154007.tif 000017